(57)【要約】      （修正有）【課題】ユーザが選択しようとする複数のコンテンツを同時に確認することができ、ユーザが視聴している映像を途切れることなく視聴することができるディスプレイ装置およびそれを用いたマルチビュー提供方法を提供する。【解決手段】ディスプレイ装置は、コンテンツの映像フレームを構成する信号処理部と、映像フレームを画面上にディスプレイするディスプレイ部と、マルチビューモード開始命令を入力されるためのユーザ命令入力部と、マルチビューモード開始命令が入力されると、画面にサブ画面を生成して他コンテンツをディスプレイし、サブ画面にディスプレイされた他コンテンツが選択されると、コンテンツの映像フレームおよび選択された他コンテンツの映像フレームを組み合わせて複数のコンテンツビューをディスプレイするマルチビューモードで動作するように、信号処理部および前記ディスプレイ部を制御する制御部とを含む。【選択図】図６
2013157979.tif 000002
【特許請求の範囲】
【請求項１】
ディスプレイ装置において、
コンテンツを処理する信号処理部と、
前記コンテンツの映像をディスプレイするディスプレイ部と、
マルチビューモードで前記ディスプレイ装置を動作するために、マルチビューモード開始命令を入力されるためのユーザ命令入力部と、
前記ディスプレイ部にディスプレイされたサブ画面で選択できる他コンテンツを操作し、前記サブ画面にディスプレイされた前記他コンテンツが選択された後、複数のコンテンツビューを同時にディスプレイするマルチビューモードで動作する制御部と、
を含むディスプレイ装置。
【請求項２】
前記サブ画面にディスプレイされる他コンテンツは、外部メディア装置を含む複数のソースから選択されることを特徴とする請求項１に記載のディスプレイ装置。
【請求項３】
前記サブ画面は、ＰＩＰ（Ｐｉｃｔｕｒｅ  Ｉｎ  Ｐｉｃｔｕｒｅ）画面で前記ディスプレイ部に生成されることを特徴とする請求項１に記載のディスプレイ装置。
【請求項４】
前記マルチビューモード開始命令が入力されると、前記コンテンツおよび前記他コンテンツを各々選択するための二つのサブ画面が前記ディスプレイ部に生成されることを特徴とする請求項１に記載のディスプレイ装置。
【請求項５】
前記サブ画面は、ＰＢＰ（Ｐｉｃｔｕｒｅ  Ｂｙ  Ｐｉｃｔｕｒｅ）画面で前記ディスプレイ部に生成されることを特徴とする請求項１に記載のディスプレイ装置。
【請求項６】
前記マルチビューモードで、前記コンテンツおよび前記他コンテンツの映像フレームを組み合わせて、前記複数のコンテンツビューが同時にディスプレイされることを特徴とする請求項１に記載のディスプレイ装置。
【請求項７】
前記制御部は、
前記サブ画面に前記他コンテンツをディスプレイする間、サブ画面を通じてコンテンツ変更命令が入力されると、前記サブ画面にディスプレイされる前記他コンテンツのチャネルを変更するように、前記信号処理部および前記ディスプレイ部を制御することを特徴とする請求項６に記載のディスプレイ装置。
【請求項８】
前記コンテンツの映像フレームおよび前記他コンテンツの映像フレームのディスプレイタイミングに応じてメガネ装置を同期化させる同期化信号を生成し、前記メガネ装置に伝送する同期化信号生成部とを更に含み、
前記制御部は、
前記コンテンツの映像フレームおよび前記他コンテンツの映像フレームを前記同期化信号に対応するようにフレーム単位で交互に組み合わせてディスプレイするように、前記信号処理部および前記ディスプレイ部を制御することを特徴とする請求項１に記載のディスプレイ装置。
【請求項９】
前記制御部は、
マルチビューモード終了命令が入力されると、前記マルチビューモードを終了し、前記コンテンツがメイン画面に表示され、前記他コンテンツが前記サブ画面に表示される画面状態に切り替えるように、前記信号処理部および前記ディスプレイ部を制御することを特徴とする請求項５に記載のディスプレイ装置。
【請求項１０】
前記制御部は、
前記切り替えられた画面状態で前記メイン画面に表示される前記コンテンツが選択されると、前記サブ画面を除去し、前記サブ画面に表示される前記他コンテンツが選択されると、前記他コンテンツを前記メイン画面に表示して前記サブ画面を除去することを特徴とする請求項９に記載のディスプレイ装置。
【請求項１１】
前記サブ画面の数は、マルチビューの類型に応じて変更されることを特徴とする請求項１に記載のディスプレイ装置。
【請求項１２】
ディスプレイ装置のマルチビュー提供方法において、
ディスプレイ画面にコンテンツの映像をディスプレイするステップと、
マルチビューモード開始命令が入力されると、前記ディスプレイ画面にサブ画面をディスプレイするステップと、
複数のソースから選択できるように前記サブ画面の他コンテンツを操作するステップと、
前記サブ画面にディスプレイされた前記他コンテンツが選択された後、複数のコンテンツビューを同時にディスプレイするマルチビューモードで動作するステップと
を含むマルチビュー提供方法。
【請求項１３】
前記サブ画面にディスプレイされる他コンテンツは、外部メディア装置を含む複数のソースから選択されることを特徴とする請求項１２に記載のマルチビュー提供方法。
【請求項１４】
前記サブ画面は、ＰＩＰ（Ｐｉｃｔｕｒｅ  Ｉｎ  Ｐｉｃｔｕｒｅ）画面で前記ディスプレイ部に生成されることを特徴とする請求項１２に記載のマルチビュー提供方法。
【請求項１５】
前記サブ画面は、ＰＢＰ（Ｐｉｃｔｕｒｅ  Ｂｙ  Ｐｉｃｔｕｒｅ）画面で前記ディスプレイ部に生成されることを特徴とする請求項１２に記載のマルチビュー提供方法。
【発明の詳細な説明】
【技術分野】
【０００１】
本発明は、ディスプレイ装置およびそれを用いたマルチビュー提供方法に関し、より詳細には、複数のユーザに異なるコンテンツ映像を提供することができるマルチビュー（Ｍｕｌｔｉ−ｖｉｅｗ）モードを提供するディスプレイ装置およびそれを用いたマルチビュー提供方法に関する。
【背景技術】
【０００２】
電子技術の発達により、多様な電子製品が開発および普及されている。特に、テレビ、携帯電話、パソコン、ノートパソコン、ＰＤＡ等のような各種ディスプレイ装置は、多くの一般家庭でも使用されている。
【０００３】
ディスプレイ装置の使用が増え、より多様な機能に対するユーザからのニーズも増え続けてきた。それに伴い、ユーザからのニーズに応えるための各電子メーカーの取り組みも強化し、３Ｄコンテンツの提供等、従来にはない新たな機能を備えた製品が登場しつつある。
【０００４】
なお、最近では、複数のコンテンツを同時に提供して複数のユーザが異なるコンテンツを視聴することができるマルチビューモードを提供するディスプレイ装置に対する開発への取り組みが進められている。
【０００５】
このようなディスプレイ装置の場合、一つのディスプレイ画面でユーザが複数のコンテンツを選択することにより、ユーザが同時に複数のコンテンツを確認することができないという不都合が生じ、ユーザが視聴している映像が途切れる可能性があるという問題が存在する。
【先行技術文献】
【特許文献】
【０００６】
【特許文献１】韓国特開第２０１１−０１１５８０６号公報
【特許文献２】米国特開第２００７−００９７０２４号公報
【特許文献３】韓国特開第２０１０−０１２６０２６号公報
【特許文献４】日本特開第２００７−０１１４６０１号公報
【発明の概要】
【発明が解決しようとする課題】
【０００７】
そこで、本発明は、上記問題に鑑みてなされたものであり、本発明の目的とするところは、マルチビューモード開始命令が入力される場合、ディスプレイ画面にサブ画面を生成してユーザが選択しようとする他コンテンツをディスプレイすることにより、ユーザが選択しようとする複数のコンテンツを同時に確認することができ、ユーザが視聴している映像を途切れることなく視聴することができるディスプレイ装置およびそれを用いたマルチビュー提供方法を提供することにある。
【課題を解決するための手段】
【０００８】
前記目的を達成するための本発明の一実施形態に係るディスプレイ装置は、コンテンツの映像フレームを構成する信号処理部と、前記映像フレームを画面上にディスプレイするディスプレイ部と、マルチビューモード開始命令を入力されるためのユーザ命令入力部と、前記マルチビューモード開始命令が入力されると、前記画面にサブ画面を生成して他コンテンツをディスプレイし、前記サブ画面にディスプレイされた他コンテンツが選択されると、前記コンテンツの映像フレームおよび前記選択された他コンテンツの映像フレームを組み合わせて複数のコンテンツビューをディスプレイするマルチビューモードで動作するように、前記信号処理部および前記ディスプレイ部を制御する制御部とを含む。
【０００９】
そして、前記制御部は、前記サブ画面に前記他コンテンツがディスプレイされた状態で、前記サブ画面に対するコンテンツ変更命令が入力されると、前記サブ画面に表示される他コンテンツを変更するように、前記信号処理部および前記ディスプレイ部を制御してよい。
【００１０】
なお、前記コンテンツの映像フレームおよび前記選択された他コンテンツの映像フレームのディスプレイタイミングに応じてメガネ装置を同期化させる同期化信号を生成し、前記メガネ装置に伝送する同期化信号生成部とを更に含み、前記制御部は、前記コンテンツの映像フレームおよび前記選択された他コンテンツの映像フレームを前記同期化信号に対応するようにフレーム単位で交互に組み合わせてディスプレイするように、前記信号処理部および前記ディスプレイ部を制御してよい。
【００１１】
そして、前記制御部は、マルチビューモード終了命令が入力されると、前記マルチビューモードを終了し、前記コンテンツがメイン画面に表示され、前記他コンテンツが前記サブ画面に表示される画面状態に切り替えるように、前記信号処理部および前記ディスプレイ部を制御してよい。
【００１２】
なお、前記制御部は、前記切り替えられた画面状態で前記メイン画面に表示されたコンテンツが選択されると、前記サブ画面を除去し、前記サブ画面に表示された他コンテンツが選択されると、前記他コンテンツを前記メイン画面にディスプレイして前記サブ画面を除去するように、前記信号処理部および前記ディスプレイ部を制御してよい。
【００１３】
そして、前記サブ画面の数は、前記マルチビューの種類に応じて異なってよい。
【００１４】
なお、前記サブ画面は、ＰＩＰ（Ｐｉｃｔｕｒｅ  Ｉｎ  Ｐｉｃｔｕｒｅ）画面およびＰＢＰ（Ｐｉｃｔｕｒｅ  Ｂｙ  Ｐｉｃｔｕｒｅ）画面の何れか一方であってよい。
【００１５】
一方、前記目的を達成するための本発明の一実施形態に係るマルチビュー提供方法は、コンテンツの映像フレームを画面上にディスプレイするステップと、マルチビューモード開始命令が入力されると、前記画面にサブ画面を生成して他コンテンツをディスプレイするステップと、前記サブ画面にディスプレイされた他コンテンツが選択されると、前記コンテンツの映像フレームおよび前記選択された他コンテンツの映像フレームを組み合わせて複数のコンテンツビューをディスプレイするマルチビューモードで動作するステップとを含む。
【００１６】
そして、前記動作するステップは、前記サブ画面に前記他コンテンツがディスプレイされた状態で、前記サブ画面に対するコンテンツ変更命令が入力されると、前記サブ画面に表示される他コンテンツを変更するステップを含んでよい。
【００１７】
なお、前記コンテンツの映像フレームおよび前記選択された他コンテンツの映像フレームのディスプレイタイミングに応じてメガネ装置を同期化させる同期化信号を生成し、前記メガネ装置に伝送するステップを更に含み、前記動作するステップは、前記コンテンツの映像フレームおよび前記選択された他コンテンツの映像フレームを前記同期化信号に対応するようにフレーム単位で交互に組み合わせてディスプレイしてよい。
【００１８】
そして、マルチビューモード終了命令が入力されると、前記マルチビューモードを終了し、前記コンテンツがメイン画面に表示され、前記他コンテンツが前記サブ画面に表示される画面状態に切り替えるステップを更に含んでよい。
【００１９】
なお、前記切り替えるステップにおいて、前記メイン画面に表示されたコンテンツが選択されると、前記サブ画面を除去し、前記サブ画面に表示された他コンテンツが選択されると、前記他コンテンツを前記メイン画面にディスプレイして前記サブ画面を除去するステップを更に含んでよい。
【００２０】
そして、前記サブ画面の数は、前記マルチビューの種類に応じて異なってよい。
【００２１】
なお、前記サブ画面は、ＰＩＰ（Ｐｉｃｔｕｒｅ  Ｉｎ  Ｐｉｃｔｕｒｅ）画面およびＰＢＰ（Ｐｉｃｔｕｒｅ  Ｂｙ  Ｐｉｃｔｕｒｅ）画面の何れか一方であってよい。
【００２２】
一方、前記目的を達成するための本発明の別の実施形態に係るディスプレイ装置は、コンテンツの映像フレームを構成する信号処理部と、前記映像フレームを画面上にディスプレイするディスプレイ部と、マルチビューモード開始命令を入力されるためのユーザ命令入力部と、前記マルチビューモード開始命令が入力されると、前記画面の一領域に前記マルチビューモード時にディスプレイされる複数のコンテンツを選択するためのコンテンツ選択ＵＩをディスプレイし、前記コンテンツ選択ＵＩを通じて複数のコンテンツが選択されると、前記選択された複数のコンテンツの映像フレームを組み合わせて複数のコンテンツビューをディスプレイするマルチビューモードで動作するように、前記信号処理部および前記ディスプレイ部を制御する制御部とを含む。
【００２３】
そして、前記コンテンツ選択ＵＩは、前記マルチビューモード時にディスプレイされる第１コンテンツを選択するための第１領域および前記マルチビューモード時にディスプレイされる第２コンテンツを選択するための第２領域に区分されてよい。
【００２４】
なお、前記制御部は、前記第１領域および前記第２領域のうち、前記ユーザ命令入力部を介して一つの領域が選択された場合、前記選択された領域に対するコンテンツ変更命令が入力されると、前記選択された領域に表示されるコンテンツを変更してよい。
【００２５】
そして、前記制御部は、前記ユーザ命令入力部を介してマルチビュー終了命令が入力されると、前記マルチビューモードを終了し、前記マルチビューモード時にディスプレイされる複数のコンテンツのうちの一つを選択するためのコンテンツ選択ＵＩをディスプレイするように、前記ディスプレイ部を制御してよい。
【００２６】
一方、前記目的を達成するための本発明の一実施形態に係るディスプレイ装置のマルチビュー提供方法は、コンテンツの映像フレームを画面上にディスプレイするステップと、マルチビューモード開始命令が入力されると、前記画面の一領域に前記マルチビューモード時にディスプレイされる複数のコンテンツを選択するためのコンテンツ選択ＵＩをディスプレイするステップと、前記コンテンツ選択ＵＩを通じて複数のコンテンツが選択されると、前記選択された複数のコンテンツの映像フレームを組み合わせて複数のコンテンツビューをディスプレイするマルチビューモードで動作するステップとを含む。
【００２７】
そして、前記コンテンツ選択ＵＩは、前記マルチビューモード時にディスプレイされる第１コンテンツを選択するための第１領域および前記マルチビューモード時にディスプレイされる第２コンテンツを選択するための第２領域に区分されてよい。
【００２８】
なお、前記第１領域および前記第２領域のうち、前記ユーザ命令入力部を介して一つの領域が選択された場合、前記選択された領域に対するコンテンツ変更命令が入力されると、前記選択された領域に表示されるコンテンツを変更するステップを更に含んでよい。
【００２９】
そして、前記ユーザ命令入力部を介してマルチビュー終了命令が入力されると、前記マルチビューモードを終了し、前記マルチビューモード時にディスプレイされる複数のコンテンツのうちの一つを選択するためのコンテンツ選択ＵＩをディスプレイするステップを更に含んでよい。
【発明の効果】
【００３０】
以上説明したように、本発明によれば、複数のユーザは、自分が選択しようとする複数のコンテンツを同時に確認することができ、現在視聴している映像を途切れることなく視聴することができるようになる。
【図面の簡単な説明】
【００３１】
【図１Ａ】本発明の一実施形態に係るコンテンツ提供システムの構成を示す模式図である。
【図１Ｂ】本発明の一実施形態に係るコンテンツ提供システムの構成を示す模式図である。
【図２】本発明の一実施形態に係るディスプレイ装置の構成を説明するためのブロック図である。
【図３Ａ】本発明の一実施形態に係るマルチビューモードに移行する過程を説明するための図である。
【図３Ｂ】本発明の一実施形態に係るマルチビューモードに移行する過程を説明するための図である。
【図３Ｃ】本発明の一実施形態に係るマルチビューモードに移行する過程を説明するための図である。
【図３Ｄ】本発明の一実施形態に係るマルチビューモードに移行する過程を説明するための図である。
【図３Ｅ】本発明の一実施形態に係るマルチビューモードに移行する過程を説明するための図である。
【図４Ａ】本発明の別の実施形態に係るマルチビューモードに移行する過程を説明するための図である。
【図４Ｂ】本発明の別の実施形態に係るマルチビューモードに移行する過程を説明するための図である。
【図４Ｃ】本発明の別の実施形態に係るマルチビューモードに移行する過程を説明するための図である。
【図５Ａ】本発明の一実施形態に係るマルチビューモードを解除する過程を説明するための図である。
【図５Ｂ】本発明の一実施形態に係るマルチビューモードを解除する過程を説明するための図である。
【図５Ｃ】本発明の一実施形態に係るマルチビューモードを解除する過程を説明するための図である。
【図５Ｄ】本発明の一実施形態に係るマルチビューモードを解除する過程を説明するための図である。
【図６】本発明の一実施形態に係るディスプレイ装置のマルチビュー提供方法を説明するためのフローチャートである。
【図７Ａ】本発明の別の実施形態に係るマルチビューモードに移行する過程を説明するための図である。
【図７Ｂ】本発明の別の実施形態に係るマルチビューモードに移行する過程を説明するための図である。
【発明を実施するための形態】
【００３２】
以下に添付図面を参照しながら、本発明の好適な実施形態について詳細に説明する。
【００３３】
図１Ａおよび図１Ｂは、本発明の一実施形態に係るコンテンツ提供システムの構成を示す模式図である。図１Ａおよび図１Ｂに示すように、本コンテンツ提供システム１０００は、ディスプレイ装置１００とメガネ装置２００とを含む。
【００３４】
図１Ａは、本発明の一実施形態により、複数の２Ｄコンテンツを提供する方法を説明するための図である。
【００３５】
ディスプレイ装置１００は、複数の２Ｄコンテンツ（コンテンツＡ、Ｂ）を交互にディスプレイし、各コンテンツに対応するメガネ装置１、２（２００−１、２００−２）を同期化させる同期化信号を生成してメガネ装置２００−１、２００−２に伝送する。
【００３６】
この場合、メガネ装置１（２００−１）は、同期化信号に応じて一つのコンテンツＡがディスプレイされる時に、左側シャッタグラス及び右側シャッタグラスの両方をオープンさせ、他コンテンツＢがディスプレイされる時に、左側シャッタグラス及び右側シャッタグラスの両方をオープンさせるように動作できる。それにより、メガネ装置１（２００−１）を着用した視聴者１（ｖｉｅｗｅｒ１）は、交互にディスプレイされる複数のコンテンツＡ、Ｂのうち、メガネ装置１（２００−１）と同期化された一つのコンテンツＡのみを視聴できる。同様の方式で、メガネ装置２（２００−２）を着用した視聴者２（ｖｉｅｗｅｒ２）は、コンテンツＢのみを視聴できる。
【００３７】
図１Ｂは、本発明の一実施形態により、複数の３Ｄコンテンツを提供する方法を説明するための図である。
【００３８】
図示のように、複数の３Ｄコンテンツ（コンテンツＡ、Ｂ）が３Ｄコンテンツの場合、ディスプレイ装置１００は、複数の３Ｄコンテンツ（コンテンツＡ、Ｂ）を交互にディスプレイしつつ、各３Ｄコンテンツの左眼映像および右眼映像も交互にディスプレイすることができる。
【００３９】
例えば、３ＤコンテンツＡの左眼映像および右眼映像（ＡＬ、ＡＲ）をディスプレイし、３ＤコンテンツＢの左眼映像および右眼映像（ＢＬ、ＢＲ）を交互にディスプレイすることができる。この場合、メガネ装置１（２００−１）は、３ＤコンテンツＡの左眼映像および右眼映像（ＡＬ、ＡＲ）のディスプレイ時点で左眼および右眼グラスをオープンさせ、メガネ装置２（２００−２）は、３ＤコンテンツＢの左眼映像および右眼映像（ＢＬ、ＢＲ）のディスプレイ時点で左眼および右眼グラスをオープンさせることができる。
【００４０】
それにより、メガネ装置１（２００−１）を着用した視聴者１（ｖｉｅｗｅｒ１）は、３ＤコンテンツＡのみを視聴するようになり、メガネ装置２（２００−２）を着用した視聴者２（ｖｉｅｗｅｒ２）は、３ＤコンテンツＢのみを視聴するようになる。
【００４１】
ただ、それは、シャッタグラス方式を想定した場合に対する説明であり、偏光方式の場合には、複数のコンテンツ映像の各々の偏光方向とメガネ装置１、２の偏光方向とが一致するように実現し、マルチビューモードをサポートすることができることは、当業者にとっては自明に認識できるだろう。
【００４２】
以下では、図２を参照して、ディスプレイ装置１００に対してより詳細に説明する。
【００４３】
図２に示すように、本発明の一実施形態に係るディスプレイ装置１００は、受信部１１０と、信号処理部１２０と、ディスプレイ部１３０と、保存部１４０と、ユーザ命令入力部１５０と、同期化信号生成部１６０および制御部１７０を含む。
【００４４】
図２におけるディスプレイ装置１００は、テレビ、携帯電話、ＰＤＡ、ノートパソコン、モニタ、タブレットパソコン、電子書籍、デジタルフォトフレーム、キヨスク端末等のように、ディスプレイユニットを備えた多様な装置で実現されてよい。
【００４５】
受信部１１０は、多様なソースから映像コンテンツを受信する。特に、本発明の一実施形態に係る受信部１１０は、複数備えられてよく、各々の受信部１１０−１、１１０−２、１１０−３はマルチビューモードによって多様なソースから映像コンテンツの各々を受信する。
【００４６】
具体的に、各受信部１１０−１、１１０−２、１１０−３は、放送ネットワークを用いて放送コンテンツを伝送する放送局またはインターネットを用いて映像コンテンツを伝送するウェブサーバから映像コンテンツを受信する。なお、ディスプレイ装置１００内に設けられたり、ディスプレイ装置１００に接続された各種記録媒体再生装置から映像コンテンツを受信することもできる。記録媒体再生装置とは、ＣＤ、ＤＶＤ、ハードディスク、ブルーレイディスク、メモリカード、ＵＳＢメモリ等のような多様な記録媒体に保存されたコンテンツを再生する装置を意味する。
【００４７】
放送局から映像コンテンツを受信する実施形態の場合には、複数の受信部１１０−１、１１０−２、１１０−３は、チューナ（図示せず）や復調器（図示せず）、等化器（図示せず）等のような構成を含む形態で実現されてよい。一方、ウェブサーバのようなソースから映像コンテンツを受信する実施形態の場合には、複数の受信部１１０−１、１１０−２、１１０−３はネットワークインターフェースカード（図示せず）で実現できてよい。または、上述の各種記録媒体再生装置から映像コンテンツを受信する実施形態の場合には、複数の受信部１１０−１、１１０−２、１１０−３は、記録媒体再生装置と接続されたインターフェース部（図示せず）で実現されてよい。このように、複数の受信部１１０−１、１１０−２、１１０−３は、実施形態によって多様な形態で実現できてよい。
【００４８】
なお、複数の受信部１１０−１、１１０−２、１１０−３は、必ずしも同様の類型のソースからコンテンツを受信する必要はなく、複数の受信部１１０−１、１１０−２、１１０−３は、異なる類型のソースから映像コンテンツを受信することもできる。例えば、第１受信部１１０−１および第２受信部１１０−２は、チューナや復調器、等化器等を含む形態で実現され、第３受信部１１０−３は、ネットワークインターフェースカードで実現されてよい。
【００４９】
一方、図２においては、受信部１１０が３つであるとして説明したが、それは一実施形態に過ぎず、３つ以外の複数個で実現されてよい。
【００５０】
信号処理部１２０は、受信部１１０で受信された映像コンテンツの映像信号処理を行う。特に、信号処理部１２０も受信部１１０と同様に複数の信号処理部１２０で実現されてよい。
【００５１】
複数の信号処理部１２０−１、１２０−２、１２０−３は、複数の受信部１１０−１、１１０−２、１１０−３から受信された映像コンテンツを各々処理して映像フレームを構成することができる。
【００５２】
具体的に、複数の信号処理部１２０−１、１２０−２、１２０−３は、対応する複数の受信部１１０−１、１１０−２、１１０−３から受信された映像コンテンツに含まれたビデオデータに対する信号処理を行う。具体的に、複数の信号処理部１２０−１、１２０−２、１２０−３は、ビデオデータに対するデコードを行うデコーダ（図示せず）、ディスプレイ部１３０の画面サイズに合わせてアップまたはダウンスケーリングを行うスケーラ（図示せず）を各々含んでよい。
【００５３】
なお、複数の信号処理部１２０−１、１２０−２、１２０−３は、映像コンテンツのフレームレートをディスプレイ装置１００の出力レートを参照してマルチコンテンツディスプレイレートに合わせて変換する。例えば、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）方式の場合、ディスプレイ装置１００で表示可能なフレームレートは、秒当り６０フレームであってよい。したがって、複数の信号処理部１２０−１、１２０−２、１２０−３は各コンテンツのフレームレートを６０Ｈｚに変換する。
【００５４】
一方、図２においては、信号処理部１２０が３つであるとして説明したが、それは一実施形態に過ぎず、３つ以外の複数個で実現されてよい。
【００５５】
ディスプレイ部１３０は、複数の信号処理部１２０−１、１２０−２、１２０−３で構成された各コンテンツの映像フレームを交互に配置してディスプレイする。具体的に、ディスプレイ部１３０は、複数の信号処理部１２０−１、１２０−２、１２０−３から提供される各コンテンツの映像フレームが少なくとも一つずつ交互に配置されるようにマルチプレキシングしてディスプレイする。場合によって、ディスプレイ部１３０は、各コンテンツに対する映像フレームを画面サイズに合わせてアップまたはダウンスケーリングを行うこともできる。
【００５６】
保存部１４０は、ディスプレイ装置１００を駆動するための多様なプログラムおよびデータを保存することができる。なお、保存部１４０は、映像コンテンツを保存してユーザ命令に従って信号処理部１２０に出力することができる。
【００５７】
ユーザ命令入力部１５０は、ディスプレイ装置１００を制御するためのユーザ命令を受信する。このとき、ユーザ命令入力部１５０は、リモコンやタッチスクリーン等のような入力装置で実現されてよく、それに限られるものではない。
【００５８】
特に、ユーザ命令入力部１５０には、マルチビュー開始命令、コンテンツ選択命令、マルチビュー終了命令等が入力されてよい。
【００５９】
同期化信号生成部１６０は、複数のコンテンツに対する映像フレームのディスプレイタイミングに応じてメガネ装置を同期化させる同期化信号を生成し、外部のメガネ装置２００−１、２００−２に伝送する。
【００６０】
制御部１７０は、ユーザ命令入力部１５０を介して入力されたユーザ命令に従ってディスプレイ装置１００を制御する。特に、制御部１７０は、マルチビューモード開始命令が入力されると、ディスプレイ部１３０の画面にサブ画面を生成して他コンテンツをディスプレイする。そして、サブ画面にディスプレイされた他コンテンツが選択されると、制御部１７０はコンテンツの映像フレームおよび選択された他コンテンツの映像フレームとを組み合わせて複数のコンテンツビューをディスプレイするマルチビューモードで動作するように、信号処理部１２０−１、１２０−２、１２０−３およびディスプレイ部１３０を制御する。
【００６１】
具体的に、図３Ａに示すように、制御部１７０は複数の受信部１１０−１、１１０−２、１１０−３の何れか一つから入力される映像コンテンツをディスプレイ部１３０のメイン画面３００にディスプレイする。
【００６２】
このとき、ユーザ命令入力部１５０を介してマルチビュー開始命令が入力されると、制御部１７０は、図３Ｂに示すように、マルチビューモードの種類を選択するＵＩ３１０をディスプレイ部１３０にディスプレイする。このとき、ＵＩ３１０には、交互にディスプレイされるコンテンツの数に応じてマルチビューモードの種類をディスプレイする。例えば、図３Ｂに示すように、ＵＩ３１０には、二つのコンテンツが交互にディスプレイされるデュアルビューモードに対応するアイコン３１１と、３つのコンテンツが交互にディスプレイされるトリプルビューモードに対応するアイコン３１２および４つのコンテンツが交互にディスプレイされるクォードビューモードに対応するアイコン３１３を含んでよい。しかし、それは一実施形態に過ぎず、ＵＩ３１０には、５つ以上のコンテンツが交互にディスプレイされるマルチビューモードに対応するアイコンが含まれてよい。
【００６３】
一方、上述のように、マルチビューモードの種類を選択するために、ＵＩ３１０を利用してよいが、それは一実施形態に過ぎず、リモコンボタンと異なる入力装置を用いてマルチビューモードの種類を選択することができる。なお、ディスプレイ装置１００において、マルチビューモードがデフォルトされた場合、マルチビューモードの種類を選択する過程を省略してよい。例えば、ディスプレイ装置１００でマルチビューモードにデュアルビューモードがデフォルトされた場合、マルチビューモードの種類を選択する過程を省略してよい。
【００６４】
そして、制御部１７０は、選択されたマルチビューモードの種類に応じて少なくとも一つのサブ画面を生成する。
【００６５】
一実施形態として、ＵＩ３１０でトリプルビューモードが選択されると、制御部１７０はディスプレイ部１３０のメイン画面３００にＰＩＰ（Ｐｉｃｔｕｒｅ  Ｉｎ  Ｐｉｃｔｕｒｅ）画面の形態で二つのサブ画面３２０、３３０を生成する。このとき、メイン画面３００は、交互にディスプレイされる一番目のコンテンツ（以下では、“第１コンテンツ”という）を選択するための画面であり、第１サブ画面３２０は交互にディスプレイされる二番目のコンテンツ（以下では、“第２コンテンツ”という）を選択するための画面であり、第２サブ画面３３０は交互にディスプレイされる三番目のコンテンツ（以下では、“第３コンテンツ”という）を選択するための画面である。
【００６６】
このとき、第１サブ画面３２０にコンテンツがディスプレイされた状態で、第１サブ画面３２０に対するコンテンツ変更命令が入力されると、制御部１７０は、第１サブ画面３２０に表示されるコンテンツを別のコンテンツに変更するように、受信部１１０と、信号処理部１２０およびディスプレイ部１３０を制御してよい。例えば、第１サブ画面３２０にチャネル番号の１１番の放送コンテンツがディスプレイされた状態で、第１サブ画面３２０に対するコンテンツ変更命令が入力されると、制御部１７０は、第１サブ画面３２０に表示されるコンテンツをチャネル番号の１０番の放送コンテンツに変更するように、受信部１１０と、信号処理部１２０およびディスプレイ部１３０を制御してよい。
【００６７】
特に、制御部１７０は、第１コンテンツないし第３コンテンツのうち、ユーザが選択しようとするコンテンツに対応する画面には、ハイライトが表示されておい。すなわち、制御部１７０は、第２コンテンツを選択する際、第１サブ画面３２０の画面をハイライトして表示してよい。そして、ユーザ命令に従ってハイライト表示を移動させることにより、制御部１７０はユーザが選択しようとするコンテンツに対応する画面にハイライトを表示してよい。
【００６８】
なお、ユーザが別のコンテンツを選択するために、メイン画面３００と、第１サブ画面３２０および第２サブ画面３３０の移動命令が入力されると、制御部１７０は、メイン画面３００を第２コンテンツを選択するための画面に切り替え、第１サブ画面３２０を第３コンテンツを選択するための画面に切り替え、第２サブ画面３３０を第1コンテンツを選択するための画面に切り替えてよい。
【００６９】
上述のような方法で、複数のコンテンツが選択されると、制御部１７０は選択された複数のコンテンツに対する映像フレームを同期化信号生成部１６０から生成された同期化信号に対応するように、フレーム単位で交互に組み合わせてディスプレイする。
【００７０】
例えば、第１コンテンツとしてＡコンテンツが選択され、第２コンテンツとしてＢコンテンツが選択され、第３コンテンツとしてＣコンテンツが選択された状態で、マルチビュー選択完了命令が入力されると、制御部１７０は、図３Ｅに示すように、Ａコンテンツ、ＢコンテンツおよびＣコンテンツを交互に組み合わせてディスプレイする。
【００７１】
一方、上述のように、第２コンテンツおよび第３コンテンツを選択するためのサブ画面としてＰＩＰ画面が利用することは一実施形態に過ぎず、サブ画面がＰＢＰ（Ｐｉｃｔｕｒｅ  Ｂｙ  Ｐｉｃｔｕｒｅ）画面であってよい。
【００７２】
具体的に、図４Ａに示すように、制御部１７０は複数の受信部１１０−１、１１０−２、１１０−３の何れか一つから入力される映像コンテンツをディスプレイ部１３０のメイン画面４００にディスプレイする。
【００７３】
デュアルビュー開始命令が入力されると、制御部１７０は、図４Ｂに示すように、ディスプレイ部１３０に第１分割画面４１０および第２分割画面４２０をディスプレイする。このとき、第１分割画面４１０は第１コンテンツを選択するための画面であり、第２分割画面４２０は第２コンテンツを選択するための画面である。しかし、それは一実施形態に過ぎず、３つ以上のコンテンツを交互にディスプレイするマルチビューモードが選択されると、分割画面はコンテンツの数に対応するように生成されてよい。３つ以上の分割画面が生成される際、分割画面の大きさは各々異なってよい。
【００７４】
図４Ｂに示すように、第１分割画面４１０にハイライトがディスプレイされた状態で、コンテンツ変更命令が入力されると、制御部１７０は、第１分割画面３２０に表示されるコンテンツを別のコンテンツに変更するように、受信部１１０と、信号処理部１２０およびディスプレイ部１３０を制御してよい。
【００７５】
なお、ハイライト表示の移動命令が入力されると、制御部１７０は、図４Ｃに示すように、第２コンテンツを選択しようとする第２分割画面４２０にハイライトを表示してよい。
【００７６】
上述のように、サブ画面または分割画面を用いてマルチビューモードで視聴しようとする映像コンテンツを選択することにより、複数のユーザは自分が選択しようとする複数のコンテンツを同時に確認することができ、現在視聴している映像を途切れることなく、視聴することができるようになる。
【００７７】
なお、マルチビューモードで動作する状態で、マルチビュー終了命令が入力されると、マルチビューモードを終了し、コンテンツがメイン画面に表示され、別のコンテンツがサブ画面に表示される画面状態に切り替えるように、信号処理部１２０およびディスプレイ部１３０を制御する。そして、切り替えられた画面状態で、メイン画面に表示されたコンテンツが選択されると、制御部１７０はサブ画面を除去するように信号処理部１２０およびディスプレイ部１３０を制御する。しかし、サブ画面に表示された別のコンテンツが選択されると、制御部１７０は、別のコンテンツをメイン画面にディスプレイし、サブ画面を除去するように、信号処理部１２０およびディスプレイ部１３０を制御する。
【００７８】
具体的に、図５Ａに示すように、Ａコンテンツ、ＢコンテンツおよびＣコンテンツが交互にディスプレイされるマルチビューモード状態で、マルチビューモード終了命令が入力されると、制御部１７０は、複数のコンテンツが交互にディスプレイされるマルチビューモードを終了し、図５Ｂに示すように、Ａコンテンツがメイン画面５００に表示され、Ｂコンテンツが第１サブ画面５１０に表示されると、Ｃコンテンツが第２サブ画面５２０に表示されるように画面状態を切り替えてよい。
【００７９】
そして、特定画面にハイライトが表示された状態で、選択命令が入力されると、制御部１７０はハイライトが表示された画面に対応するコンテンツをメイン画面にディスプレイしてよい。
【００８０】
例えば、図５Ｂに示すように、メイン画面５００にハイライトが表示された状態で、ハイライト移動命令が入力されると、制御部１７０は、図５Ｃに示すように、第１サブ画面５１０にハイライトを表示する。そして、選択命令が入力されると、制御部１７０は、図５Ｄに示すように、第１サブ画面５１０に対応するＢコンテンツをディスプレイしてよい。
【００８１】
上述のように、マルチビューモードを終了し、マルチビューモードを構成する複数の映像コンテンツのうち、視聴しようとする映像コンテンツを選択することにより、複数のユーザは自分が選択しようとする複数の映像コンテンツを同時に確認することができ、視聴しようとする映像コンテンツを途切れることなく、視聴することができるようになる。
【００８２】
以下で、図６を参照して、ディスプレイ装置１００のマルチビュー提供方法を説明する。
【００８３】
まず、ディスプレイ装置１００は、コンテンツの映像フレームを画面上にディスプレイする（Ｓ６１０）。このとき、ディスプレイ装置１００は、多様なソースの何れか一つからコンテンツを受信することができる。
【００８４】
そして、ディスプレイ装置１００は、マルチビュー開始命令が入力されたか否かを判断する（Ｓ６２０）。
【００８５】
マルチビュー開始命令が入力されたと判断されると（Ｓ６２０−Ｙ）、ディスプレイ装置１００はサブ画面を生成して他コンテンツをディスプレイする（Ｓ６３０）。このとき、生成されるサブ画面の数は、マルチビューモードの種類に応じて異なってよい。例えば、デュアルビューモードである場合、サブ画面は一つ生成されてよく、トリプルビューモードである場合、サブ画面は二つ生成されてとく、クォードビューモードである場合、サブ画面は３つ生成されてよい。
【００８６】
そして、ディスプレイ装置１００は、メイン画面にディスプレイされたコンテンツおよびサブ画面にディスプレイされた他コンテンツが選択されたか否かを判断する（Ｓ６４０）。
【００８７】
コンテンツおよび他コンテンツが選択されると（Ｓ６４０−Ｙ）、ディスプレイ装置１００はマルチビューモードで動作する（Ｓ６５０）。具体的に、ディスプレイ装置１００は選択されたコンテンツおよび他コンテンツを交互にディスプレイすることにより、マルチビューモードで動作してよい。このとき、選択されたコンテンツおよび他コンテンツは同期化信号に応じて交互にディスプレイされておい。
【００８８】
マルチビューモード動作状態で、ディスプレイ装置１００は、マルチビュー終了命令が入力されたか否かを判断する（Ｓ６６０）。
【００８９】
マルチビュー終了命令が入力されると（Ｓ６６０−Ｙ）、ディスプレイ装置１００はマルチビューモードを終了し（Ｓ６７０）、メイン画面にコンテンツを表示し、サブ画面に他コンテンツを表示する（Ｓ６８０）。
【００９０】
そして、ディスプレイ装置１００は、コンテンツおよび他コンテンツのうち、ユーザによって選択されたコンテンツをメイン画面にディスプレイする（Ｓ６９０）。
【００９１】
上述のように、サブ画面を用いてマルチビューモードを提供または終了することにより、複数のユーザは自分が選択しようとする複数のコンテンツを同時に確認することができ、視聴しようとする映像を途切れることなく、視聴することができるようになる。
【００９２】
以下では、図７Ａおよび図７Ｂを参照して、本発明の別の実施形態について説明する。具体的に、ユーザ命令入力部１５０を介してマルチビューモード開始命令が入力されると、制御部１７０はディスプレイ画面の一領域にマルチビューモード時にディスプレイされるように複数のコンテンツを選択するためのコンテンツ選択ＵＩをディスプレイするように、ディスプレイ部１３０を制御する。そして、コンテンツ選択ＵＩを通じて複数のコンテンツが選択されると、制御部１７０は選択された複数のコンテンツの映像フレームを組み合わせて複数のコンテンツビューをディスプレイするマルチビューモードで動作するように、信号処理部１２０およびディスプレイ部１３０を制御する。
【００９３】
より詳細には、制御部１７０は、複数の受信部１１０−１、１１０−２、１１０−３の何れか一つから入力される映像コンテンツをディスプレイ部１３０にディスプレイする。
【００９４】
このとき、ユーザ命令入力部１５０を介してマルチビュー開始命令が入力されると、制御部１７０は、図７Ａに示すように、ディスプレイ部１３０の中央領域にマルチビュー視聴またはマルチビューゲームの何れか一つを選択するためのマルチビューモード選択ＵＩ７１０をディスプレイするように、ディスプレイ部１３０を制御する。
【００９５】
そして、マルチビュー視聴のためのアイコン７１３が選択されると、制御部１７０は、図７Ｂに示すように、ディスプレイ部１３０の中央領域にマルチビューモード時にディスプレイされる複数のコンテンツを選択するためのコンテンツ選択ＵＩ７２０をディスプレイしてよい。このとき、コンテンツ選択ＵＩ７２０は、マルチビューモード時にディスプレイされる第１コンテンツを選択するための第１サブ画面７２３およびマルチビューモード時にディスプレイされる第２サブ画面を選択するための第２領域７２５に区分されてよい。
【００９６】
一方、本発明の一実施形態においては、コンテンツ選択ＵＩ７２０がディスプレイ画面の中央領域にディスプレイさせるものとして説明したが、それは一実施形態に過ぎず、別の領域（例えば、上段領域）にディスプレイされてよい。なお、本発明の一実施形態においては、コンテンツ選択ＵＩ７２０が第１サブ画面および第２サブ画面に区分されていると説明したが、それは一実施形態に過ぎず、３つ以上のコンテンツを選択するために、３つ以上のサブ画面に区分されてよい。
【００９７】
そして、制御部１７０は、コンテンツ選択ＵＩ７２０を介して入力されたユーザ命令に従ってマルチビューモード時にディスプレイされる複数のコンテンツを選択することができる。具体的に、ユーザ命令入力部１５０を介して第１サブ画面７２３および第２サブ画面７２５の何れか一方が選択されると、制御部１７０は、選択された領域にハイライト表示が行われるように、ディスプレイ部１３０を制御してよい。例えば、ユーザ命令入力部１５０を介して第２サブ画面７２５が選択されると、制御部１７０は第２サブ画面にハイライト表示を行うように、ディスプレイ部１３０を制御してよい。
【００９８】
そして、選択された領域に対するコンテンツ変更命令が入力されると、制御部１７０は選択された領域に表示されるコンテンツを変更してディスプレイするようにディスプレイ部１３０を制御してよい。例えば、第２サブ画面が選択された後、コンテンツ変更命令が入力されると、制御部１７０は第２サブ画面に表示されるコンテンツを変更してディスプレイするように、ディスプレイ部１３０を制御してよい。
【００９９】
このとき、コンテンツを変更するとは、チャネルを変更するものであってよいが、それは一実施形態に過ぎず、接続された外部端子（例えば、セットトップボックス、ＤＶＤ、パソコン等）を変更する実施形態も本発明の技術的思想に含まれてよい。
【０１００】
コンテンツ選択ＵＩ７２０を介して複数のコンテンツが選択されると、制御部１７０は選択された複数のコンテンツの映像フレームを組み合わせて複数のコンテンツビューをディスプレイするマルチビューモードで動作するように、信号処理部１２０およびディスプレイ部１３０を制御してよい。具体的に、ユーザがコンテンツ選択ＵＩ７２０に含まれたスタートボタン７２７が選択された場合、制御部１７０は選択された複数のコンテンツに対する映像フレームを同期化信号生成部１６０から生成された同期化信号に対応するように、フレーム単位で交互に組み合わせてディスプレイしてよい。
【０１０１】
例えば、第１コンテンツとしてＡコンテンツが選択され、第２コンテンツとしてＢコンテンツが選択された状態で、マルチビュー選択完了命令が入力されると、制御部１７０は、ＡコンテンツおよびＢコンテンツを交互に組み合わせてディスプレイするように、ディスプレイ部１３０を制御してよい。
【０１０２】
マルチビューモードで動作する途中に、ユーザ命令入力部１５０を介してマルチビュー終了命令が入力されると、制御部１７０はマルチビューモードを終了し、マルチビューモード時にディスプレイされる複数のコンテンツのうちの一つを選択するためのコンテンツ選択ＵＩをディスプレイしてよい。そして、マルチビュー終了命令を入力した場合、生成されるコンテンツ選択ＵＩを通じて一つのコンテンツが選択されると、制御部１７０は選択されたコンテンツをディスプレイするようにディスプレイ部１３０を制御してよい。
【０１０３】
上述の本発明の多様な実施形態に係る方法は、多様な記録媒体に保存されて使用されてよい。
【０１０４】
具体的に、上述の方法を行うためのプログラムコードは、フラッシュメモリ、ＲＯＭ（Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）、ハードディスク、リムーバブルディスク、メモリカード、ＵＳＢメモリ、ＣＤ−ＲＯＭ等のように、端末機で読み取り可能な多様な類型の記録媒体に保存されていてよい。
【０１０５】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【符号の説明】
【０１０６】
１１０  受信部
１１０−１  第１受信部
１１０−２  第２受信部
１１０−３  第３受信部
１２０  信号処理部
１２０−１  第１信号処理部
１２０−２  第２信号処理部
１２０−３  第３信号処理部
１３０  ディスプレイ部
１４０  保存部
１７０  制御部
１６０  同期化信号生成部
１５０  ユーザ命令入力部
３１１  マルチビューモード
３１２  トリプルビューモード
３１３  クォードビューモード
７２６  ヘルプ
７２７  スタート
７２８  キャンセル
【図１Ａ】
2013157979.tif 000003
【図１Ｂ】
2013157979.tif 000004
【図２】
2013157979.tif 000005
【図３Ａ】
2013157979.tif 000006
【図３Ｂ】
2013157979.tif 000007
【図３Ｃ】
2013157979.tif 000008
【図３Ｄ】
2013157979.tif 000009
【図３Ｅ】
2013157979.tif 000010
【図４Ａ】
2013157979.tif 000011
【図４Ｂ】
2013157979.tif 000012
【図４Ｃ】
2013157979.tif 000013
【図５Ａ】
2013157979.tif 000014
【図５Ｂ】
2013157979.tif 000015
【図５Ｃ】
2013157979.tif 000016
【図５Ｄ】
2013157979.tif 000017
【図６】
2013157979.tif 000018
【図７Ａ】
2013157979.tif 000019
【図７Ｂ】
2013157979.tif 000020